(57)【要約】      （修正有）【課題】釘穴から雨水が進入して、太陽電池の薄膜が剥離することのない波板形状をしたトタン板の表面上に形成した太陽電池を提供する。【解決手段】波板形状をしたトタン板２、又は平板で出来ているトタン板の裏面にフック７、又はパッドアイ７、又はロングアイ７、又はオープンパッドアイ７、又はアイストラップ７、又はＵＫターンバックル７を溶接するか、又は金属接着剤を使用して取り付けたあと、トタン板２の表面上に太陽電池１を形成する。【選択図】図８
2013170385.tif 000002
【特許請求の範囲】
【請求項１】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項２】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項３】
波板形状をしたトタン板（２）の表面上に太陽電池（１）を形成する目的のために、波板形状をしたトタン板（２）に凹凸を形成している凸形状の裏面に、凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項４】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凸形状の裏面に、凸型の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項５】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項６】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項７】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項８】
波板形状をしたトタン板（２）の表面上に太陽電池（１）を形成する目的のために、波板形状をしたトタン板（２）の裏面に垂木（３）を固定する目的のために、波板形状を
したトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項９】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１０】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１１】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１２】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（３）を形成している、太陽電池（１）を取り付けて固定をすることを特徴とした太陽電池（１）を形成した波板形状をしたトタン板（２）、又は太陽電池（１）を形成した平板で出来ているトタン板（８）、及びその加工方法。
【請求項１３】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスターとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の上の面から釘（４）を使用して垂木（３）にトタン板を打ち付けることが出来ることを特徴とした太陽電池（１）を形成した波板形状をしたトタン板（２）、又は太陽電池（１）を形成した平板で出来ているトタン板（８）、及びその加工方法。
【請求項１４】
、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブツケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを特徴とした太陽電池（１）を形成した波板形状をしたトタン板（２）、又は太陽電池（１）を形成した平板で出来ているトタン板（８）、及びその加工方法。
【発明の詳細な説明】
【技術分野】
【０００１】
本発明は、波板形状をしたトタン板（２）（以下、略して、トタン板、又は波板で出来ているトタン板とする）の表面上に薄膜の太陽電池（１）を形成する加工方法に関するものである。
【背景技術】
【０００２】
太陽電池（１）を設置するのには、例えば、家屋の屋根の表面上に太陽電池（１）を設置する構造物を形成して、この家屋の屋根の表面上に形成をした構造物に太陽電池（１）を取り付けているのが現状である。
【０００３】
また、波板形状をしたトタン板（２）の表面上に太陽電池（１）を形成したあと、波板形状をしたトタン板（２）を家屋を構成している垂木（３）に、釘（４）を使用して垂木（３）に太陽電池（１）を表面上に形成をしている、波板形状をしたトタン板（２）を垂木（３）に釘（４）を使用して打ち付けると、垂木（３）に釘（４）を使用して波板形状をしたトタン板（２）を打ち付けている部分から雨水が進入をして、波板形状をしたトタン板（２）の表面上に形成をしている太陽電池（１）が剥離をする欠点があるのが、従来の波板形状をしたトタン板（２）の表面上に太陽電池（１）を形成した太陽電池である。
【発明の概要】
【発明が解決しようとする課題】
【０００４】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）、
又はその他の手段を使用して、波板形状をしたトタン板（２）の裏面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることが出来ることを防止することを目的とする。
【課題を解決するための手段】
【０００５】
波板形状をしたトタン板（２）の裏面に家屋を構成している垂木（３）を取り付けて固定をしたあとの、波板形状をしたトタン板（２）の表面上に太陽電池（１）を形成した、波板形状をしたトタン板（２）を家屋の屋根材として使用することを解決手段とする。
【発明の効果】
【０００６】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）、又はその他の手段を使用して、波板形状をしたトタン板（２）の裏面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることが出来ることを防止することが出来る効果がある。
【０００７】
また、所在地が京都市南区上鳥羽大物町３５の、（株）クリーンベンチャー２１が製造販売をしている、商品名が球状シリコン太陽電池モジュールを、上記にて説明をした、波板形状をしたトタン板（２）、又は平板形状をしたトタン板（８）の表面上に形成をすることにより、より一段と発電効率がよい、太陽電池（１）を波板形状をしたトタン板（２）、又は平板形状をしたトタン板（８）の表面上に形成をすることが出来る効果がある。
【０００８】
さらに、上記にて説明をした、波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスターとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している
垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の上の面から釘（４）を使用して垂木（３）にトタン板を打ち付けることが出来る効果がある。
【０００９】
また、鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブツケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成すると耐アンモニア性、及び耐湿潤性に優れた効果がある。
【図面の簡単な説明】
【００１０】
図１に示しているのは、波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定をしたあとの、波板形状をしたトタン板（２）の表面上に太陽電池（１）を形成している縦断面図を、図１に示している。
図２に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定をしたあとの、波板形状をしたトタン板（２）の表面上に太陽電池（１）を形成している縦断面図を、図２に示している。
図３に示しているのは、波板形状をしたトタン板（２）の表面上に太陽電池（１）を形成する目的のために、波板形状をしたトタン板（２）に凹凸を形成している凸形状の裏面に、凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成している縦断面図を、図３に示している。
図４に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を
波板形状をしたトタン板（２）の裏面に、波板の凹凸を形成している凸形状の裏面に、凸形状の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成している縦断面図を、図４に示している。
図５に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成している縦断面図を、図５に示している。
図６に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を
波板形状をしたトタン板（２）の裏面に固定をしたあとの、波板形状をしたトタン板（２）の表面上に太陽電池（１）を形成している縦断面図を、図６に示している。
図７に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成している縦断面図を、図７に示している。
図８に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成している縦断面図を、図８に示している。
図９に示しているのは、平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成している縦断面図を、図９に示している。
図１０に示しているのは、平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成している縦断面図を、図１０に示している。
図１１に示しているのは、平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成している縦断面図を、図１１に示している。
【発明を実施するための形態】
【００１１】
波板形状をしたトタン板（２）の表面上に太陽電池（１）を形成した、太陽電池（１）の表面上を一切損傷させることなく、家屋の屋根材として太陽電池（１）を形成している波板形状をしたトタン板（２）の裏面の垂木（３）に、釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）、又はその他の手段
を使用して、家屋の屋根を構成している垂木（３）に波板形状をしたトタン板（２）の裏面から垂木（３）を取り付けることにより、波板形状をしたトタン板（２）の表面上に形成をした太陽電池（１）を一切損傷させることなく、太陽電池（１）を家屋の屋根材として取り付けることが出来るので、太陽電池（１）を一切損傷させることなく家屋の屋根材として使用をすることが出来る。
【実施例１】
【００１２】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定をしたあとの、波板形状をしたトタン板（２）の表面上に太陽電池（１）を形成したトタン板（２）を実施例１とする。
【実施例２】
【００１３】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定をしたあとの、波板形状をしたトタン板（２）の表面上に太陽電池（１）を形成したトタン板（２）を実施例２とする。
【実施例３】
【００１４】
波板形状をしたトタン板（２）の表面上に太陽電池（１）を形成する目的のために、波板形状をしたトタン板（２）に凹凸を形成している凸形状の裏面に、凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したトタン板（２）を実施例３とする。
【実施例４】
【００１５】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凸形状の裏面に、凸型の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したトタン板（２）を実施例４とする。
【実施例５】
【００１６】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したトタン板（２）を実施例５とする。
【実施例６】
【００１７】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したトタン板（２）を実施例６とする。
【実施例７】
【００１８】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したトタン板（２）を実施例７とする。
【実施例８】
【００１９】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したトタン板（２）を実施例８とする。
【実施例９】
【００２０】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したトタン板（８）を実施例９とする。
【実施例１０】
【００２１】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したトタン板（８）を実施例１０とする。
【実施例１１】
【００２２】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したトタン板（８）を実施例１１とする。
【実施例１２】
【００２３】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（３）を形成している、太陽電池（１）を取り付けて固定をすることを実施例１２とする。
【実施例１３】
【００２４】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスターとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の上の面から釘（４）を使用して垂木（３）にトタン板を打ち付けることが出来ることを実施例１３とする。
【実施例１４】
【００２５】
鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブツケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを実施例１４とする。
【産業上の利用可能性】
【００２６】
波板形状をしたトタン板（２）の表面上に太陽電池（１）を形成することにより、従来、同じ形状の波板形状をしたトタン板（２）を使用している、例えば、ニワトリ小屋の屋根材として使用をしている、同じ縦×横の寸法が全く同じ波板形状をしたトタン板と取り換えることにより、波板形状をしたトタン板（２）の表面上に太陽電池（１）を形成した、発電機能がある波板形状をしたトタン板（２）と取り換えることにより、太陽電池を取り付けるための構造物を形成することなく、容易に発電機能がある波板形状をしたトタン板（２）と取り換えることが出来る。
また、上記にて説明をした、日本国に於いては波板形状をしたトタン板は、ニワトリ小屋の屋根ぐらいにしか使用していない。けれども、世界中で最も暑くて、最も貧困の国々が多い熱帯地方である赤道地帯である東南アジア、サハラ砂漠以南のアフリカ、中国の南部地方、及びメキシコ以南の中南米では、主たる家屋の屋根材は波板形状をしたトタン板である。また、電気のインフラストラクチャーがない生活をしている家々も数多くある。この電気のインフラストラクチャーが全くない人々が居住をしている家々の主たる屋根材は波板形状をしたトタン板である。このインフラストラクチャーがない人々が居住をしている家々の屋根材である波板形状をしたトタン板と、全く同じ形状と寸法の発電機能がある波板形状をしたトタン板（２）と取り換えることにより、容易に電気の供給が出来ることになる。
【符号の説明】
【００２７】
１  波板で出来ているトタン板の表面上に太陽電池（以下、略して、太陽電池とする）を形成している。
２  波板で出来ているトタン板
３  垂木
４  釘
５  ボルト
６  ナット
７  フック、又はパッドアイ、又はロングアイ、又はオープンパッドアイ、又はアイストラップ、又はＵＫターンバックル（以下、略して、ナット、又はフック、又はアイとする）
８  平板で出来ているトタン板
【図１】
2013170385.tif 000003
【図２】
2013170385.tif 000004
【図３】
2013170385.tif 000005
【図４】
2013170385.tif 000006
【図５】
2013170385.tif 000007
【図６】
2013170385.tif 000008
【図７】
2013170385.tif 000009
【図８】
2013170385.tif 000010
【図９】
2013170385.tif 000011
【図１０】
2013170385.tif 000012
【図１１】
2013170385.tif 000013